(57)【要約】　　　（修正有）【課題】車両の盗難防止と無免許運転を防止するとともに、盗難車両の名義と、改ざんされた車台番号を容易に確認できる車両盗難防止、無免許運転防止付車両所有者装置を提供する。【解決手段】スターターキー１とエンジン電装系統との間に設置され、新車購入とともに免許証と暗証番号と車検証内容を記憶することによって、外部から挿入する免許証が免許証記憶２２と一致するか、否か判断し、一致すれば免許証ランプが点灯する。暗証番号も同様で外部から入力された暗証番号が暗証番号記憶３２と一致するか、否か判断し、一致すれば暗証番号ランプが点灯する。免許証と暗証番号が一致し、免許証ランプと暗証番号ランプが点灯すれば、スターターキー１とエンジン電装系統との接続が可能になりエンジン始動が可能になる。車検証内容も記憶することにより盗難車の名義と巧妙に改ざんされた車台番号が明確になる。【選択図】図１
2004050899.tif 000002
【特許請求の範囲】
【請求項１】
スターターキー１とエンジン電装系統（バッテリー２、イグニションコイル３、スターターモーター４）の間に設置され、外部から挿入される免許証と免許証記憶２２が一致すると、免許証ランプ２５が点灯し登録者以外の運転防止と無免許運転防止とを第１判定手段とする装置。外部から入力される暗証番号と暗証番号記憶３２が一致すると暗証番号ランプ３５が点灯することで特定の人しか使用できないことを第２判定手段とする装置。盗難車両の名義と、車台番号が明確にできる第３手段を持つ装置。の３種類の機能装置を備えたことを特徴とする、車両盗難防止、無免許運転防止付車両所有者装置。
【請求項２】
外部から挿入される免許証と、免許証記憶２２に記憶している免許証と、一致するか否か免許証読取照合２１が判定し、不一致の場合は免許証ランプ２５が点灯せず、スターターキー１とエンジン電装系統との接続が不可能になり、運転を不可能にする第１判定手段を、備えたことを特徴とする車両盗難防止、無免許運転防止付車両所有者装置。
【請求項３】
外部から入力された暗証番号と、暗証番号記憶３２に記憶してい暗証番号と、一致するか否か暗証番号読取照合３１が判定し、不一致の場合は暗証番号ランプ３５が点灯せず、スターターキー１とエンジン電装系統との接続が不可能になり、運転を不可能にする第２判定手段を、備えたことを特徴とする車両盗難防止、無免許運転防止付車両所有者装置。
【請求項４】
車両が盗難になった盗難車両は、書類や車台番号が改ざんされても、車両探知機（別品）を接続することにより、盗難車の名義と、巧妙に改ざんされた車台番号を明確に出きる第３判定手段を、備えたことを特徴とする車両盗難防止、無免許運転防止付車両所有者装置。
【請求項５】
第１判定の免許証ランプ２５と第２判定の暗証番号ランプ３５の両方が点灯することが条件で、免許証と暗証番号が不一致の場合、又は、片方のみ点灯の場合には、スターターキーとエンジン電装系統との接続が不可能になり、エンジンの始動を許可しない。
【発明の詳細な説明】
【０００１】
【発明の属する技術分野】
本発明はスターターキー１とエンジン電装系統の間に設置し、外部から投入される免許証、暗証番号と記憶している免許証記憶２２、暗証番号記憶３２の両方が一致しないとエンジン電装系統との接続が不可能になり、エンジンの始動を不可能にする。よって特定の人にしか使用できない機能を備え、又、万一エンジン可動状態で車両盗難になったとき、車両はガス欠になるまでしか走行が出来ず、ガス欠になりエンジンが停止後、ガソリンを補充し再度免許証と暗証番号を投入しても、記憶されている免許証メモリーと暗証番号メモリーが一致しない限り、エンジンの始動を不可能にする。エンジンが始動不可能になった盗難車両はそのまま放置される、放置された盗難車両は、車両所有者装置へ車両探知機（別品）を接続し検索すると、登録者の名義が確認でき連絡等も敏速に可能になる、又、書類や車台番号を巧妙に改ざんされても明確になる機能を備えた車両盗難防止、無免許運転防止を実現するための車両盗難防止、無免許運転防止付車両所有者装置に関するものである。
【０００２】
【従来の技術】
車両盗難防止装置（特開２００２−２９３８３）はステップ２３０にて、鍵ＩＤと車両ＩＤとが一致するか否かを判定する。不一致の場合には、ステップ３４０にて、警告処理を行い、ステップ３６０、３７０にて、運転禁止処理を行う。また、ステッフは２７０にて、電子運転免許証７が、電子運転免許証読取装置にセットされているか否かを判定する。セットされていない場合には、ステップ３２０にて、その情報を電子ナンバープレート１１にセットし、その後送信する。ステップ２９０では、新たに読み込んだ免許証ＩＤが、登録された免許証ＩＤと一致するか否かを判定する。不一致の場合には、ステップ３１０にて、その情報を電子ナンバープレート１１にセットし、その後送信する。
【０００３】
【発明が解決しようとする課題】
車両盗難防止装置（特開２００２−２９３８３）は、電子ナンバープレート
（イ）　車両が接触して、電子ナンバーフレーとが破損すると、鍵に記憶しているＩＤと一致できなくなり、その場で運転不可能になる。
（ロ）　車両を家の駐車場、又は買い物に行って停車している時、電子ナンバープレートの盗難や当て逃げされて、鍵に記憶しているＩＤと一致不可能になり、その場運転不可能になる。
（ハ）　電子ナンバープレートに記憶しているＩＤと、鍵に記憶しているＩＤと一致できなくなって運転不可能なった車両は、ナンバープレート修理のためレッカー車を依頼することになり無駄な出費がかかる。
（ニ）　電子ナンバープレートを修理、交換するのに多大な費用がかかる。
（ホ）　電子ナンバープレートは前後２枚、それとも前のみか、後ろのみ、かによって修理、交換費用も違ってくる。
（ヘ）　車両を家族が使用するのに、スペア−鍵が必要な場合に、ＩＤを記憶できるスペア−鍵を作るのに普通のスペア−鍵よりも高価になる。
「本発明はこれらの欠点を解決するためになされたものである。」
【０００４】
【課題を解決するための手段】
本発明は、スターターキー１とエンジン電装系統（バッテリー２、イグニションコイル３、スターターモーター４）の間に設置され、新車購入時に電源ボタンランプ１０を押すと電源ボタンランプ１０のランプが点灯すれば画面Ａが［登録・運転・車検］１００画面になり、画面の［登録］文字のみ表示し、［運転・車検］の文字は表示しない、画面Ａの［登録］を押すと、［免許証、暗証番号、車両所有者］２００画面なり画面Ａの［免許証］を押し［免許証］２０画面になり免許証供給口４００が点滅すれば免許証を免許証供給口４００から挿入し画面Ａの画面下［ＹＥＳ］を押すと［免許証記憶］２２へ記憶し、免許証ランプ２５が点灯する。画面Ａの画面下［戻る］を押すと［免許証、暗証番号、車両所有者］２００画面にな戻り画面の［暗証番号］を押し［暗証番号］３０画面になれば画面Ｂで暗証番号を入力し、画面Ａの画面下［ＹＥＳ］を押すと［暗証番号記憶］３２へ記憶し、暗証番号ランプ３５が点灯する。画面Ａの画面下［戻る］を押すと［免許証・暗証番号・車両所有者］２００画面に戻り画面の［車両所有者］を押し［車両所有者］４０画面になれば画面Ｂで自動車検査証の項目（自動車登録番号又は車両番号、登録年月日、車体の形状、車名、型式、車台番号、使用者の氏名、住所）と使用者の電話番号、暗証番号、一言メモ等を入力し画面Ａの画面下［ＹＥＳ］を押し、［車両所有者記憶］４１へ記憶する、記憶が終われば画面下の［終了］を押すと免許証が出て、電源ボタンランプ１０が切れる。新車購入するとすぐに上記の工程は必ず行うこと。再度電源ボタンランプ１０を押しＯＮにする。画面Ａに［登録・運転・車検］１００画面が表示すれば画面の［運転］を押し［免許証・暗証番号］１０１画面になれば画面の［免許証］を押して［免許証］２０画面になると免許証を挿入し画面Ａの画面下［ＹＥＳ］を押す、挿入された免許証は免許証読取照合２１により免許証記憶２２と一致すれば免許証ランプ２５が点灯する。画面Ａの画面下［戻る］を押すと［免許証、暗証番号］１０１画面に戻り画面の［暗証番号］を押すと［暗証番号］３０画面になり画面Ｂで暗証番号を入力して画面Ａの画面下［ＹＥＳ］を押し、入力された暗証番号は暗証番号読取照合３１により暗証番号記憶３２と一致すれば暗証番号ランプ３５が点灯する。免許証ランプ２５と暗証番号ランプ３５が点灯すれば画面Ａが［運転・手動］１０２画面に変わり画面の［運転］を押すと運転ランプ５０が点灯すると、スターターキー１とエンジン電装系統（バッテリー２、イグニションコイル３、スターターモーター４）の接続が可能になり、スターターキー２を廻すとエンジンの始動が可能になる。又、［運転・手動］１０２画面で［手動］を押すと手動ランプ６０が点灯し、免許証の追加、抹消と車検に出す時の操作等が可能になる。
【０００５】
【発明の実施の形態】
（１）　一度登録すると抹消しない限り外部から投入した免許証、暗証番号と、登録されている免許証、暗証番号が一致しない限り［運転・手動］１０１の操作は出来ないことを特徴とする
（２）運転中に、免許証返却ボタン５００を押し免許証を返却しても運転可能。
（３）エンジンを停止すると免許証が出て、電源ボタンランプ１０のランプが消灯して電源ボタンランプ１０がＯＦＦになる。又、免許証を取り忘れスターターキー１を抜くと、ブザーと音声で知らせる
（４）エンジン始動中、停止中にかかわらず運転⇒手動操作、手動操作⇒運転への切り替えは不可能、切り替え操作が必要な場合は必ずエンジン停止後、免許証と暗証番号を投入し、一致すれば手順通りの操作をすること（※可能にするとエンジン始動中にて車両が盗難に会うと免許証、暗証番号の抹消ができ免許証、暗証番号の新規登録が可能になるた為、車両盗難防止にはならない）
（５）ガス欠、又は一度エンジンを停止すると再度免許証と暗証番号を外部から投入し、記憶されている免許証と暗証番号が一致しないと、免許証ランプ２５、暗証番号ランプ３５も点灯せずスターターキー１を廻わしてもエンジンは始動しない。
（６）メーカーは新車を納車する前には、必ずエンジンを停止して、営業者の免許証と暗証番号を登録し納車すること。
〈営業者の登録方法〉……（ア）エンジンを停止し、電源ボタンランプ１０を押してＯＮにすると電源ボタンランプ１０のランプ点灯し画面Ａが［登録・運転・車検］１００画面になり、画面の［登録］文字のみが表示し［運転・車検］の文字は表示しない（イ）画面の［登録］を押すと［免許証・暗証番号・車両所有者］２００画面に変わる（ウ）画面Ａの［免許証］を押すと［免許証］２０画面に変わり免許証供給口４００が点滅すると、営業者の免許証を供給口４００から挿入する（エ）画面Ａの画面下［ＹＥＳ］を押し、［免許証記憶］２２へ記憶すると免許証ランプ２５が点灯する（オ）画面下の［戻る］を押すと［免許証・暗証番号・車両所有者］２００画面に戻る（カ）画面Ａの［暗証番号］を押すと［暗証番号］３０画面に変わり、画面Ｂで営業者の暗証番号を入力する（キ）画面Ａの画面下［ＹＥＳ］を押し、［暗証番号記憶］３２へ記憶すると暗証番号ランプ３５が点灯する（ク）画面下の［終了］を押すと免許証が出て、免許証ランプ２５と暗証番号ランプ３５が消灯し、電源ボタンランプ１０のランプも消灯して切れる。
（７）営業者が新車を納車する時は、必ずエンジンを停止して、免許証を挿入し、暗証番号も入力して一致すれば［運転・手動］１０２画面の［運転］を押し運転ランプ３４が点灯すればスターターキー１を廻すとエンジンが始動する。
〈営業者のエンジン始動操作方法〉……（ア）エンジン停止し、電源ボタンランプ１０を押してＯＮにすると電源ボタンランプ１０のランプが点灯し画面Ａが［登録・運転・車検］１００画面になり、画面の［運転］文字のみが表示し、［登録・車検］の文字は表示しない（イ）画面Ａの［運転］を押すと［免許証・暗証番号］１０１画面に変わる（ウ）画面Ａの［免許証］を押すと［免許証］２０画面に変わり免許証供給口４００が点滅すると営業者の免許証を挿入する（エ）画面Ａの画面下［ＹＥＳ］を押すと挿入された免許証は［免許証読取照合］２１により［免許証記憶］２２と一致すれば免許証ランプ２５が点灯する（オ）画面Ａの画面下［戻る］を押すと［免許証・暗証番号］１０１画面に戻る（カ）画面の［暗証番号］を押して［暗証番号］３０画面になると画面Ｂで営業者の暗証番号の数字を入力する（キ）画面Ａの画面下［ＹＥＳ］を押すと入力された暗証番号は［暗証番号読取照合］３１により［暗証番号記憶］３２と一致すれば暗証番号ランプ３５が点灯する（ク）免許証ランプ２５と暗証番号ランプ３５が点灯すれば画面Ａは［運転・手動］１０２画面に変わる（ケ）画面の［運転］を押すと運転ランプ５０が点灯すると、スターターキーとエンジン電装系統（バッテリー２、イグニションコイル３、スターターモーター４）の接続が可能になり、スターターキー１を廻すとエンジンが始動する
（８）納車と同時に営業者は、必ずエンジンを停止して、営業者の免許証と暗証番号を抹消して、未登録状態にする
〈営業者の抹消操作方法〉…（ア）エンジンを停止し、電源ボタンランプ１０を押してＯＮにすると電源ボタンランプ１０のランプが点灯し画面Ａが［登録・運転・車検］１００画面になり、画面の［運転］文字のみが表示し、［登録・車検］の文字は表示しない（イ）画面の［運転］を押すと［免許証・暗証番号］１０１画面に変わる（ウ）画面の［免許証］を押し［免許証］２０画面に変わり免許証供給口４００が点滅すると営業者の免許証を挿入する（エ）画面Ａの画面下［ＹＥＳ］を押す、挿入された免許証は免許証読取照合２１により免許証記憶２２と一致すれば免許証ランプ２５が点灯する（オ）画面下の［戻る］を押すと［免許証・暗証番号］１０１画面に戻る（カ）画面の［暗証番号］を押し［暗証番号］３０画面に変わると画面Ｂに営業者の暗証番号を入力する（キ）画面Ａの画面下［ＹＥＳ］を押す、入力された暗証番号は暗証番号読取照合３１により暗証番号記憶３２と一致すれば暗証番号ランプ３５が点灯する（ク）免許証ランプ２５と暗証番号ランプ３５が点灯すれば画面Ａは［運転・手動］１０２画面に変わる（ケ）画面の［手動］を押すと手動ランプ６０が点灯し画面Ａは［免許証・暗証番号・車両所有者・車検］１０３画面に変わる（コ）画面の［暗証番号］を押すと［暗証番号］３０画面になり［暗証番号］３０を押すと［暗証番号抹消一覧］３６画面になる（サ）画面下の［抹消］押し［ＹＥＳ］を押すと、暗証番号記憶３２の暗証番号が抹消し暗証番号ランプ３５が消灯する（シ）暗証番号ランプ３５が消灯したら画面下の［戻る］を押し［免許証・暗証番号・車両所有者・車検］１０３の画面にする（ス）画面の［免許証］を押すと［免許証］２０の画面になり、［免許証］２０を押すと免許証の［登録・抹消］２６画面になる（セ）画面の［抹消］を押して［抹消一覧］２８画面に変え、画面下の［ＹＥＳ］を押すと免許証記憶２２の免許証が抹消し免許証ランプが消灯する（ソ）画面下の［終了］を押すと免許証が出ると、電源ボタンランプ１０のランプも消灯し電源ボタンランプ１０がＯＦＦになる。
（９）新車購入者は、購入と同時に必ずエンジンを停止して免許証、暗証番号の登録と車両所有者装置へ自動車車検証の項目内容、ＴＥＬ、暗証番号、一言メモ等を登録する。
〈新車購入者の登録操作手順〉……（ア）エンジンを停止し、電源ボタンランプ１０を押してＯＮにすると電源ボタンランプ１０のランプが点灯し、画面Ａが［登録・運転・車検］１００画面になり、画面の［登録］文字のみが表示し、［運転・車検］の文字は表示しない（イ）画面の［登録］を押すと［免許証・暗証番号・車両所有者］２００画面に変わる（ウ）画面Ａの［免許証］を押すと［免許証］２０に変わり免許証供給口４００が点滅すると、新車購入者の免許証を供給口４００から挿入する（エ）画面Ａの画面下［ＹＥＳ］を押し、［免許証記憶］２２が記憶すると免許証ランプ２５が点灯する（オ）画面下の［戻る］を押すと［免許証・暗証番号・車両所有者］２００画面に戻る（カ）画面の［暗証番号］を押し画面Ｂで、新車購入者の暗証番号の数字を入力する（キ）画面Ａの画面下［ＹＥＳ］を押し暗証番号記憶３２へ記憶すると暗証番号ランプ３１が点灯する（ク）画面下の［戻る］を押して［免許証・暗証番号・車両所有者］２００に戻す（ケ）画面の［車両所有車］を押し［車両所有者画面］４０に変え画面Ｂで自動車検査証の項目（自動車登録番号又は車両番号、登録年月日、車体の形状、車名、型式、車台番号、使用者の氏名、住所）と使用者の電話番号、暗証番号、一言メモ等を入力する（コ）画面Ａの画面下［ＹＥＳ］を押して車両所有者記憶４１へ記憶する（サ）記憶が終われば画面下の［終了］を押す（シ）免許証が出て電源ボタンランプ１０のランプが消灯し電源ボタンランプ１０がＯＦＦになる。
（１０）新車購入者の登録後のエンジン始動は、必ずエンジン停止して、免許証を挿入し、暗証番号も入力して一致すれば［運転・手動］１０２画面の［運転］を押し運転ランプ５０が点灯すればスターターキー１を廻すとエンジンが始動する。
〈新車購入者のエンジン始動操作手順〉……（ア）エンジンを停止し、電源ボタンランプ１０を押してＯＮにすると電源ボタンランプ１０のランプが点灯し画面Ａが［登録・運転・車検］１００画面になり、画面の［運転］文字のみが表示し、［登録・車検］の文字は表示しない（イ）画面Ａの［運転］を押すと［免許証・暗証番号］１０１画面に変わる（ウ）画面Ａの［免許証］を押すと［免許証］２０画面に変わり免許証供給口４００が点滅すると、新車購入者の免許証を挿入する（エ）画面Ａの画面下［ＹＥＳ］を押すと挿入された免許証は［免許証読取照合］２０により［免許証記憶］２２と一致すれば免許証ランプ２５が点灯する（オ）画面Ａの画面下［戻る］を押すと［免許証・暗証番号］１０１画面に戻る（カ）画面の［暗証番号］を押して［暗証番号］３０画面になると画面Ｂで新車購入者の暗証番号を入力する（キ）画面Ａの画面下［ＹＥＳ］を押すと入力された暗証番号は［暗証番号読取照合］３１により［暗証番号記憶］３２と一致すれば暗証番号ランプ３５が点灯する（ク）免許証ランプ２５と暗証番号ランプ３５が点灯すれば画面Ａは［運転・手動］１０２画面に変わる（ケ）画面の［運転］を押すと運転ランプ３４が点灯し、スターターキー１とエンジン電装系統（バッテリー２、イグニションコイル３、スターターモーター４）の接続が可能になり、スターターキー１を廻すとエンジンが始動する。
※エンジン始動中で免許証返却ボタン５１を押すと免許証を返却することができる
（１１）新車購入者は免許証を何枚でも追加登録可能、暗証番号と車両所有者の追加登録は不可能。但し追加登録する時は、必ずエンジンを停止すること。
〈新車購入者の免許証追加登録操作手順〉……（ア）エンジンを停止し、電源ボタンランプ１０を押してＯＮにすると電源ボタンランプ１０のランプが点灯し、画面Ａが［登録・運転・車検］１００画面になり画面の［運転］文字のみが表示し、［登録・車検］の文字は表示しない（イ）画面Ａの［運転］を押すと［免許証・暗証番号］１０１画面に変わる（ウ）画面Ａの［免許証を］押すと［免許証］２０画面に変わり免許証供給口４００が点滅すると、新車購入者の免許証を挿入する（エ）画面Ａの画面下［ＹＥＳ］を押すと挿入された免許証は［免許証読取照合］２１により［免許証記憶］２２と一致すれば免許証ランプ２５が点灯する（オ）画面Ａの画面下［戻る］を押すと［免許証・暗証番号］１０１に戻る（カ）画面の［暗証番号］を押して［暗証番号画面］３０になると画面Ｂで新車購入者の暗証番号を入力する（キ）画面Ａの画面下［ＹＥＳ］を押すと入力された暗証番号は［暗証番号読取照合］３１により［暗証番号記憶］３２と一致すれば暗証番号ランプ３５が点灯する（ク）免許証ランプ２５と暗証番号ランプ３５が点灯すれば画面Ａは［運転・手動］１０２画面に変わる（ケ）画面の［手動］を押すと手動ランプ６０が点灯し［免許証・暗証番号・車両所有者・車検］１０３画面に変わる（コ）画面の［免許証］を押すと［免許証］２０になる（サ）［免許証］２０を押すと［登録・抹消］２６画面になり、登録を押すと［登録一覧］２７画面になる（シ）［登録一覧］２７の画面下の追加を押すと免許証追加供給口６００が点滅する⇒免許証を挿入する⇒画面下の［ＹＥＳ］を押す⇒登録すると免許証が出てくる⇒２回目の画面下［追加］を押す⇒免許証供給口６００が点滅する⇒２枚目の免許証を挿入する⇒画面下の［ＹＥＳ］を押す⇒登録すると免許証が出てくる（３枚目以上の免許証の登録は２枚目までの工程を繰り返し複数登録する。）（ス）画面下の［終了］を押すと新車購入者の免許証が出て電源ボタンランプ１０のランプが消灯し電源ボタンランプ１０がＯＦＦになる。
※但し、暗証番号と車両所有者の追加登録は不可能。
（１２）不必要になった免許証を抹消する時は、必ずエンジンを停止すること。
〈不必要免許証の操作手順〉…（ア）エンジンを停止する、電源ボタンランプ１０を押してＯＮにすると電源ボタンランプ１０のランプが点灯し画面Ａが［登録・運転・車検］１００画面になり、画面の［運転］文字のみが表示し、［登録・車検］の文字は表示しない（イ）画面Ａの［運転］を押すと［免許証・暗証番号］１０１画面に変わる（ウ）画面Ａの［免許証］を押すと［免許証画面］４１画面に変わり免許証供給口４００が点滅すると、新車購入者の免許証を挿入する（エ）画面Ａの画面下［ＹＥＳ］を押すと挿入された免許証は［免許証読取照合］２１により［免許証記憶］２２と一致すれば免許証ランプ２５が点灯する（オ）画面Ａの画面下［戻る］を押すと［免許証・暗証番号］１０１画面に戻る（カ）画面の［暗証番号］を押して［暗証画面］３０になると画面Ｂで新車購入者の暗証番号を入力する（キ）画面Ａの画面下［ＹＥＳ］を押すと入力された暗証番号は［暗証番号読取照合］３１により暗証番号記憶３２と一致すれば暗証番号ランプ３５が点灯する（ク）免許証ランプ２５と暗証ランプ３５が点灯すれば画面Ａは［運転・手動］１０２画面に変わる（ケ）画面の［手動］を押すと手動ランプ６０が点灯し［免許証・暗証番号・車両所有者・車検］１０３画面に変わる（コ）画面の［免許証］を押すと［免許証］２０になる（サ）［免許証］２０の画面を押すと［登録・抹消］２６画面になり、画面の抹消を押すと免許証の［抹消一覧］２８画面になる（シ）画面Ｂのカーソルで抹消したい免許証をクリックする（ス）画面Ａの［抹消一覧］２８の画面下［抹消］を押し、［ＹＥＳ］を押すと免許証記憶２２内の免許証が抹消する、（※２枚以上抹消したいときは、画面Ｂのカーソルで抹消したい免許証をクリックする⇒［抹消］⇒［ＹＥＳ］を繰り返して不必要になった免許証を抹消する）（セ）画面下の［終了］を押すと免許証が出て電源ボタンランプ１０のランプが消灯し電源ボタンランプ１０がＯＦＦになる。
（※免許証を全部抹消せず１枚だけは保存すること……全部抹消すると、登録している暗証番号と車利用所有者も抹消することになる→未登録状態になる。）
（１３）暗証番号を抹消する時は、免許証と暗証番号も抹消することになる……未登録状態になる。抹消する時は、必ずエンジンを停止して、操作すること。（※下取り、廃車以外には暗証番号を抹消しないこと。）
〈下取り、廃車の操作手順〉……（ア）エンジンを停止する、電源ボタンランプ１０を押してＯＮにすると電源ボタンランプ１０のランプが点灯し画面Ａが［登録・運転・車検］１００画面になり、画面の［運転］文字のみが表示し、［登録・車検］の文字は表示しない（イ）画面Ａの［運転］を押すと［免許証・暗証番号］１０１画面に変わる（ウ）画面Ａの［免許証］を押すと［免許証］２０画面に変わり免許証供給口４００が点滅すると、新車購入者の免許証を挿入する（エ）画面Ａの画面下［ＹＥＳ］を押すと挿入された免許証は［免許証読取照合］２１により［免許証記憶］２２と一致すれば免許証ランプ２５が点灯する（オ）画面Ａの画面下［戻る］を押すと［免許証・暗証番号］１０１に戻る（カ）画面の［暗証番号］を押して［暗証番号］３０になると画面Ｂで新車購入者の暗証番号を入力する（キ）画面Ａの画面下［ＹＥＳ］を押すと入力された暗証番号は［暗証番号読取照合］３１により［暗証番号記憶］３２と一致すれば暗証番号ランプ３５が点灯する（ク）免許証ランプ２５と暗証ランプ３５が点灯すれば画面Ａは［運転・手動］１０２画面に変わる（ケ）画面の［手動］を押すと手動ランプ６０が点灯し［免許証・暗証番号・車両所有者・車検］１０３画面に変わる（コ）画面の［暗証番号］を押すと［暗証番号］３０になる（サ）［暗証番号］３０画面の［暗証番号］を押すと［抹消］３６画面になりを［ＹＥＳ］を押すと［暗証番号記憶］３２の暗証番号が抹消する（シ）抹消したら画面下の［戻る］を押し［免許証・暗証番号・車両所有者・車検］１０３画面にする（ス）画面の［免許証］を押すと［免許証］２０に変わる（セ）［免許証］２０画面の免許証を押し［登録・抹消］に変えると［抹消］を押して免許証の［抹消］２８画面になる（ソ）画面下の［抹消］を押し、［ＹＥＳ］を押すと［免許証記憶］２２内の免許証が抹消する（複数登録をしている場合はＢ画面のカーソルで移動して１個づつ抹消する）（タ）画面下の［戻る］を押し［免許証・暗証番号・車両所有者・車検］１０３画面に戻る（チ）画面の［車両所有者］を押すと［車両所有者］４０画面になる（ツ）［車両所有者］４０画面の［車両所有者］を押すと車両所有者の［抹消］画面になり［ＹＥＳ］を押すと［車両所有者記憶］４１内の車両所有者登録内容（自動車検査証項目、他）全てが抹消する（テ）画面下の［終了］を押すと免許証が出て電源ボタンランプ１０のランプが消灯し電源ボタンランプ１０がＯＦＦになる。
（１４）車検に出す時は、必ずエンジンを停止して、車使用者の免許証、暗証番号を投入し、記憶している［免許証記憶］２２、［暗証番号記憶］３２と一致すれば営業者の免許証登録と車検時間の設定をすることができ車検に出すことができる。
〈車検に出す時営業者の免許証登録操作手順〉……（ア）エンジンを停止し、電源ボタンランプ１０を押してＯＮにすると電源ボタンランプ１０のランプが点灯し画面Ａが［登録・運転・車検］１００画面になり、画面の［運転］文字のみが表示し、［登録・車検］の文字は表示しない（イ）画面Ａの［運転］を押すと［免許証・暗証番号］１０１画面に変わる（ウ）画面Ａの［免許証］を押すと［免許証］２０画面に変わり免許証供給口４００が点滅すると、車使用者の免許証を挿入する（エ）画面Ａの画面下［ＹＥＳ］を押すと挿入された免許証は［免許証読取照合］２１により［免許証記憶］２２と一致すれば免許証ランプ２５が点灯する（オ）画面Ａの画面下［戻る］を押すと［免許証・暗証番号］１０１画面に戻る（カ）画面の［暗証番号］を押して［暗証番号］３０になると画面Ｂで車使用者の暗証番号を入力する（キ）画面Ａの画面下［ＹＥＳ］を押すと入力された暗証番号は［暗証番号読取照合］３１により［暗証番号記憶］３２と一致すれば暗証番号ランプ３５が点灯する（ク）免許証ランプ２５と暗証番号ランプ３５が点灯すれば画面Ａは［運転・手動］１０２画面に変わる（ケ）画面の［手動］を押すと手動ランプ６０が点灯し［免許証・暗証番号・車両所有者・車検］１０３画面に変わる（コ）画面の「車検」を押すと［車検］３００になる（サ）［車検］３００画面の［車検］を押すと車検ランプが点灯し［車検開始・車検終了］３１０画面になる（シ）［車検開始・車検終了］３１０画面の［車検開始］を押すと［車検開始］３１１画面になると［車検開始］を押す（ス）画面は［車検用免許証登録・車検時間設定・車検用免許証抹消］３２０画面になり［車検用免許証登録］を押すと［車検用免許証登録一覧］３２１画面になる（セ）画面下の［追加］を押すと免許証追加供給口６００が点滅する⇒営業者の免許証を挿入する⇒画面下の［ＹＥＳ］を押すと営業者の免許証が記憶し、車検用免許証ランプ３５５が点灯する⇒記憶すると営業者の免許証が出てくる（ソ）画面下の［戻る］を押して［車検用免許証登録・車検時間設定・車検用免許証抹消］３２０画面に戻り画面の［車検時間設定］を押すと［車検時間設定］３２２画面になる（タ）画面Ｂで時間を設定し、画面Ａの画面下［ＹＥＳ］を押す（チ）記憶すると画面下の［終了］を押すと車使用者の免許証が出て電源ボタンランプ１０のランプが消灯し電源ボタンランプ１０がＯＦＦになる。（１５）車検に出す時のエンジン始動操作は、必ずエンジンを停止してから、操作をすること。
〈車検に出す時のエンジンスタート〉……（ア）エンジンを停止し、電源ボタンランプ１０を押してＯＮにすると電源ボタンランプ１０のランプと車検ランプが点灯し、画面Ａが［登録・運転・車検］画面１００になり、画面の［車検］文字のみが表示し、［登録・運転］の文字は表示しない（イ）画面Ａの［車検］を押すと［車検用免許証］３１１画面に変わる（ウ）画面の［車検用免許証］３０１を押すと免許証供給口４００が点滅すると営業者の免許証を挿入する（エ）］挿入された営業者免許証は［車検用免許証読取照合］３０２により［車検用免許証記憶］３０３と一致すれば車検用免許証ランプ３５５が点灯する（オ）車検用免許証３５５が点灯すれば画面Ａは［運転・手動］１０２画面に変わる（カ）画面の［運転］を押すと運転ランプ５０点灯すると、スターターキー１とエンジン電装系統（バッテリー２、イグニションコイル３、スターターモーター４）の接続が可能になり、スターターキー１を廻すとエンジンが始動する。
（１６）車検中に複数の免許証を登録したい場合は、必ずエンジンを停止し、登録すること。
〈車検中の免許証複数登録操作手順〉……（ア）エンジンを停止し、電源ボタンランプ１０を押してＯＮにすると電源ボタンランプ１０のランプが点灯し、画面Ａが［登録・運転・車検］１００画面になり画面の［車検］のみ表示し、［登録・運転］の文字は表示しない（イ）画面Ａの［車検］を押すと［車検用免許証］３０１画面に変わる（ウ）画面の［車検用免許証］３０１を押すと免許証供給口４００が点滅すると登録されている営業者の免許証を挿入する（エ）挿入された営業者の免許証は、［車検用免許証読取照合］３０２により［車検用免許証記憶］３０３と一致すれば、車検用免許証ランプ３５５が点灯する（オ）車検用免許証ランプ３５５が点灯すれば画面Ａは［運転・手動］１０２画面に変わる（カ）画面の［手動］を押すと手動ランプ６０が点灯し［免許証・暗証番号・車両所有者・車検］１０３画面に変わる（キ）１０３画面の車検を押すと［車検開始・車検終了］３１０に変わる（ク）画面の［車検開始］を押すと［車検開始］３１１に変わる（ケ）画面の［車検開始］を押し、［車検用免許証登録・車検時間設定・車検用免許証抹消］３２０に変える（コ）画面の［車検用免許証登録］を押すと［車検用免許証登録一覧］３２１画面になり画面下の［追加］を押すと免許証追加供給口６００が点滅する（サ）免許証追加供給口６００が点滅する⇒免許証を挿入する⇒画面下の［ＹＥＳ］を押す⇒記憶すると免許証が出てくる⇒追加を押す⇒免許証を挿入する⇒……を繰り返して免許証を複数登録する（シ）登録が終わると画面下の［終了］を押すと登録されている営業者の免許証が出て電源ボタンランプ１０のランプが消灯して電源ボタンランプ１０がＯＦＦになる
（１７）車検終了は、必ずエンジン停止してから、車検終了の操作をすること。
納車時に営業者の免許証を挿入して、［車検終了］ボタンを押すと車検ランプ３３が消灯し、［車検用免許証記憶］３０３に記憶されている営業者の免許証も抹消すると営業者の免許証が出てくる。
〈車検終了の操作手順〉……（ア）エンジンを停止して、電源ボタンランプ１０を押してＯＮにすると電源ボタンランプ１０のランプが点灯し画面Ａが［登録・運転・車検］１００画面になり、画面の［車検］文字のみが表示し［登録・運転］の文字は表示しない（イ）画面の［車検］を押すと［車検用免許証］３０１画面になり画面の［車検用免許証］を押すと免許証供給口４００が点滅する（ウ）営業者の免許証を挿入すると、［車検用免許証読取照合］３０２により［車検用免許証記憶］３２と一致すれば車検用免許証ランプ３５５が点灯する（エ）車検用免許証ランプ３５５が点灯すれば［運転・手動］１０２画面に変わる（オ）画面の［手動］を押すと手動ランプ６０が点灯し［免許証・暗証番号・車両所有者・車検］１０３画面に変わる（カ）１０３画面の［車検］を押すと［車検］３００画面になる（キ）３００画面の［車検］を押すと［車検開始・車検終了］３１０画面になる（ク）画面の［車検終了］を押すと［車検終了］３４０画面になる（ケ）画面下の［ＹＥＳ］を押すと車検ランプ３５０が消灯し、営業者の免許証も抹消する（コ）営業者の免許証が出て電源ボタンランプ１０のランプが消灯して電源ボタンランプ１０がＯＦＦになる。
（１８）☆車検時間設定の変更、追加は不可能。
車検ランプは、電源ボタンランプ１０をＯＮにし［登録・運転・車検］１００画面の［運転］を押すと点灯し、電源ボタンランプ１０がＯＦＦになると車検ランプ
３３は消灯する
（１９）〈車検終了〉を押し忘れた場合は……［車検時間設定］の時間が切れ車検ランプ３３と車検用免許証ランプ５０７が消灯して、営業者の免許証も抹消する。☆…［車検終了］を押し忘れて、車検用免許証ランプ５０７が消灯して、営業者の免許証も抹消しエンジンが停止した場合は、車両使用者の免許証と暗証番号を投入して、〈新車購入者のエンジン始動操作手順〉通りに操作すればエンジンが始動する。
（２０）初期登録の場合は、電源ボタンランプ１０をＯＮにすると［登録・運転・車検］１００の画面は、［登録］のみ表示する。［運転・車検］は、表示しない。
（２１）車両の車両所有者装置へ、別品（車両探知機）を接続して検索することにより、車両所有者装置に登録されている内容を検索、表示し車両の名義と車台番号が確認できる。
【０００６】
【発明の効果】
（イ）盗難車の書類や改ざんされた車台番号が、船積み前の検査で盗難車の名義と巧妙に改ざんされた車台番号が明確になり、毎年増加している国外への盗難車密輸対策防止にもなり盗難車両密輸が本発明を設置することにより無くなる。
（ロ）国外で本人の車が発見され、日本にまでの国外の色々な書類や許可証輸送会社の手配等の苦労と、日本まで運ぶ輸送費用が多額になる。このような盗難車による多額の費用が無くなる。
（ハ）無免許運転の場合、鍵だけあれば運転可能が今まで常識になっていたのですが、本発明の装置を設置している車両は、誰かの免許証と暗証番号が必要となり鍵だけでは運転が不可能なため無免許運転防止になる。
（ニ）無免許で、本発明の装置を設置している車両を運転している場合には、誰かの承認で免許証を貸り、暗証番号も教えてもらい運転することになる。運転中に捕まった時は、免許証を貸し暗証番号を教えた人が承認したことになり、同時に罰せられますので誰も貸したり教えたりしなくなるので無免許運転者が無くなる。
（ホ）本発明の装置を設置している車両は、エンジン停止中の盗難はその車両に登録されている免許証と暗証番号が、挿投入する免許証、暗証番号と一致しないと運転不可能なため車両盗難が無くなる。
（ヘ）本発明の装置を設置している車両がエンジン稼動中に、万一盗難になった時はガソリンが無くなるまでは運転可能ですが、ガソリンが無くなると運転不可能になる。運転不可能になった盗難車両はそのまま放置されるか、レッカー車で移動するようになり第３者が入るため盗難車両が無くなる。
（ト）運転不可能となった盗難車両や、国外への密輸直前の盗難車両を本発明の車両所有者装置によって、゛盗難車である確かな証拠゛となる証拠が確認できる。
（チ）本発明は盗難車両を調査する手間などを考えるとコスト競争力がある。
【０００７】
【図面の簡単な説明】
【図１】「車両盗難防止、無免許運転防止付車両所有者装置システムの平面図である。」
【図２】「スターターキーからエンジン電装系統まで、全体のエンジンスタートを示した平面図である。」
【図３】「車両盗難防止、無免許運転防止付車両所有者装置の表側を示した平面図である。」
【図４】「初期登録の工程を示した平面図である。」
【図５】「初期登録工程操作の詳細を示した平面図である。」
【図６】「通常時のエンジンスタート工程を示した平面図である。」
【図７】「通常時のエンジンスタート工程操作の詳細を示した平面図である。」
【図８】「手動工程を示した平面図である。」
【図９】「手動工程操作の詳細を示した平面図である。」
【図１０】「車検用登録の工程を示した平面図である。」
【図１１】「車検用登録の工程の詳細を示した平面図である。」
【図１２】「車検用のエンジンスタート工程を示した平面図である。」
【図１３】「車検用エンジンスタート工程の詳細を示した平面図である。」
【図１４】「車検用免許証追加登録工程を示した平面図である。」
【図１５】「車検用免許証追加登録工程の詳細を示した平面図図である。」
【図１６】「車検終了工程を示した平面図である。」
【図１７】「車検終了工程の詳細を示した平面図である。」
【符号の説明】
００１…スターターキー……エンジンスタートキーで「盗難防止、無免許運転　　防止付車両所有者装置」と接続する。
００２…バッテリー　………エンジン電装系統で「盗難防止、無免許運転防止付車両所有者装置」と接続する。
００３…イグニションコイル…エンジン電装系統で「盗難防止、無免許運転防止付車両所有者装置」と接続する。
００４…スターターモーター…エンジン電装系統で「盗難防止、無免許運転防止付車両所有者装置」と接続する。
０１０…電源ボタンランプ…本体の主電源で電源ボタンを押すと、ランプが点灯し登録・運転・車検等の操作ができる。
０２０…免許証………………車両使用者の免許証を登録する。
０２１…免許証読取照合…車両運転者の免許証を読み取り、照合し、正、否の判断をする。
０２２…免許証記憶………車両運転者の免許証を記憶する。
０２５…免許証ランプ…挿入された免許証と、記憶している免許証が一致すると免許証ランプが点灯する。
０２６…［登録・抹消］画面…免許証を登録するか、抹消するか、の分岐画面。
０２７…［登録一覧］画面…登録者の免許証を一覧表示する。又、追加登録も可能。
０２８…［抹消一覧］画面…不必要になった免許証を抹消する。下取り、廃車にも
使用する。
０３０…暗証番号…………車両使用者の暗証番号。
０３１…暗証番号読取照合……車両運転者の暗証番号を読み取り正、否の判断をする。
０３２…暗証番号記憶…………車両運転者の暗証番号を記憶する。
０３５…暗証番号ランプ…入力された暗証番号と、記憶している暗証番号が一致すると暗証番号ランプが点灯する。
０３６…［抹消］画面…車両所有者の暗証番号を抹消する。
下取り、廃車の時のみ、に使用する。
０４０…車両所有者…車両所有者の車検内容を登録する。
０４１…車両所有者記憶…車検所有者の車検内容を記憶する。
０４６…［抹消］画面…車両所有者の車検内容を抹消する。
下取り、廃車の時のみ、に使用する。
０５０…運転ランプ…免許証と暗証番号が一致して、画面の［運転］を押すと運転ランプが点灯する。
０６０…手動ランプ…免許証と暗証番号が一致して、画面の［手動］を押すと手動ランプが点灯する。
１００…［登録・運転・車検］画面…登録、運転、車検の選択画面。
１０１…［免許証・暗証番号］画面…運転、手動操作する時には必ず、必要な免許
証・暗証番号画面。
１０２…［運転・手動］画面…エンジン始動か、登録内容変更の選択画面。
１０３…［免許証・暗証番号・車両所有者・車検］画面…手動操作の選択画面。
３００…［車検］画面…車検登録する時のスタート画面。
３０１…［車検用免許証］画面…車検用免許証のみ使用する時。
３０２…［車検用免許証読取照合］画面…車検業者の運転者の免許証を読み取り照合し正、否の判断する。
３０３…［車検用免許証記憶］画面……車検用運転者の免許証を記憶する。　　　３１０…［車検開始・車検終了］画面…車検を開始するか、終了するかに使用する画面。３１１…［車検開始］画面…車検に出す時、免許証の登録と車検時間設定に必要な画面。
３２０…［車検用免許証登録・車検時間設定・車検用免許証抹消］画面…登録・時間設定・抹消の分岐画面。
３２１…［車検用免許証登録一覧］画面…車検に使用する人の登録している免許証を画面に表示する。
３２２…［車検時間設定］画面…車検が終了するまでの時間を設定する時に使用する画面。
３２３…［車検用免許証抹消一覧］画面…不必要になった免許証を抹消する時、又は、車両を下取り、廃車の時に使用する。
３４０…［車検終了］画面…車検終了の時に使用する画面。
３５０…車検ランプ…車検に出す時、車検ランプが点灯しないと、車検に出すことが不可能。
３５５…車検用免許証ランプ…車検に出す時、免許証を記憶するとランプが点灯する、ランプが点灯しないと運転を許可しない。
４００…免許証供給口…………運転する人の免許証を挿入口。
５００…免許証返却ボタン…運転中に免許証返却ボタンを押すと、免許証が出てくる。
６００…免許証追加供給口…免許証を追加する時のみに使用する免許証挿入口。７００…接続口……………別品（車両探知機）と接続する。
７０５…接続ボタンランプ…別品（車両探知機）と接続して接続ボタンランプを押すと接続ボタンランプのランプが点灯する。
７５０…電源へ…本体を電源へ接続する。
８００…スピーカー　…「免許証を忘れています」等を音声で知らせる。
画面Ａ…［登録］・［運転］・［車検］…他を表示する。
画面Ｂ…文字、数字、他を入力や変換等をする。
【図１】
2004050899.tif 000003
【図２】
2004050899.tif 000004
【図３】
2004050899.tif 000005
【図４】
2004050899.tif 000006
【図５】
2004050899.tif 000007
【図６】
2004050899.tif 000008
【図７】
2004050899.tif 000009
【図８】
2004050899.tif 000010
【図９】
2004050899.tif 000011
【図１０】
2004050899.tif 000012
【図１１】
2004050899.tif 000013
【図１２】
2004050899.tif 000014
【図１３】
2004050899.tif 000015
【図１４】
2004050899.tif 000016
【図１５】
2004050899.tif 000017
【図１６】
2004050899.tif 000018
【図１７】
2004050899.tif 000019